(57)【特許請求の範囲】
【請求項１】
開口部を有する正面部と、左右の側壁部と、該左右の側壁部を連設する背面部により四周の壁面を構成される平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられ、
第３のレール材が、対で、左右の側壁部にそれぞれ、該第２のレール材より背面部側に２０〜１００ｍｍの間隔をあけて備えられ、
第４のレール材が、対で、左右の側壁部にそれぞれ、該第３のレール材より正面部側に３５０〜４５０ｍｍの間隔をあけて備えられており、
それぞれ対の第１のレール材と第３のレール材の同じ高さ位置に係止片が取り付けられ、それぞれ対の第１のレール材と第３のレール材とに渡すように取り付けられた第１の棚板と、
いずれか一方の側壁部側の第２のレール材と第４のレール材の同じ高さ位置にそれぞれ係止片が取り付けられ、該一方の側壁部側の第２のレール材と第４のレール材のみに支持され、第２のレール材と第４のレール材とに渡すように取り付けられた第２の棚板が取り付けられたことを特徴とする収納空間構造。
【請求項２】
開口部を有する正面部と、左右の側壁部と、該左右の側壁部を連設する背面部により四周の壁面を構成される平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられ、
第３のレール材が、対で、左右の側壁部にそれぞれ、該第２のレール材より背面部側に２０〜１００ｍｍの間隔をあけて備えられ、
第４のレール材が、対で、左右の側壁部にそれぞれ、該第３のレール材より正面部側に３５０〜４５０ｍｍの間隔をあけて備えられており、
それぞれ対の第２のレール材と第４のレール材の同じ高さ位置に係止片が取り付けられ、それぞれ対の第２のレール材と第４のレール材とに渡すように取り付けられた第１の棚板と、
いずれか一方の側壁部側の第１のレール材と第３のレール材の同じ高さ位置にそれぞれ係止片が取り付けられ、該一方の側壁部側の第１のレール材と第３のレール材のみに支持され、第１のレール材と第３のレール材とに渡すように取り付けられた第２の棚板が取り付けられたことを特徴とする収納空間構造。
【請求項３】
前記第１の棚板と第２の棚板が同じ高さ位置に取り付けられ、第１の棚板と第２の棚板とにより平面視Ｌ型の棚板が形成されている請求項１乃至２のいずれか１項記載の収納空間構造。
【請求項４】
前記第２の棚板が取り付けられた側壁部側に折り畳まれる折り畳み式扉が、正面部に備えられた請求項１乃至３のいずれか１項記載の収納空間構造。
【発明の詳細な説明】
【技術分野】
【０００１】
本発明は、効率的な収納を行うことができる収納空間に関する。
【背景技術】
【０００２】
従来より、収納空間内の壁面に、棚板を係止する係止片を、任意の高さ位置に取り付けることができるレール材を設け、収納する物品に合わせて、係止片の取り付け高さを変更し、棚板の取り付け高さを自由に変更できる収納空間構造は提案されている。
【先行技術文献】
【特許文献】
【０００３】
【特許文献１】特開２００５−２６１５８０号公報
【発明の概要】
【発明が解決しようとする課題】
【０００４】
しかし、このような収納空間構造では、棚板の高さ位置や個数を使用者の希望により選択することはできるが、収納空間内を効率的に利用できているとはいい難かった。
【０００５】
特に、効率的な収納空間の使い方についてノウハウのない一般的な使用者にとっては、この問題は顕著であった。
【０００６】
本発明は、以上のような問題点に鑑み、収納空間の効率的な利用を実現するための収納空間構造を提供することを課題とする。
【課題を解決するための手段】
【０００７】
上記の課題は、開口部を有する正面部と、左右の側壁部と、該左右の側壁部を連設する背面部により四周の壁面を構成される平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられ、
第３のレール材が、対で、左右の側壁部にそれぞれ、該第２のレール材より背面部側に２０〜１００ｍｍの間隔をあけて備えられ、
第４のレール材が、対で、左右の側壁部にそれぞれ、該第３のレール材より正面部側に３５０〜４５０ｍｍの間隔をあけて備えられており、
それぞれ対の第１のレール材と第３のレール材の同じ高さ位置に係止片が取り付けられ、それぞれ対の第１のレール材と第３のレール材とに渡すように取り付けられた第１の棚板と、
いずれか一方の側壁部側の第２のレール材と第４のレール材の同じ高さ位置に係止片が取り付けられ、該一方の側壁部側に、第２のレール材と第４のレール材とに渡すように取り付けられた第２の棚板が取り付けられたことを特徴とする収納空間構造、又は、
開口部を有する正面部と、左右の側壁部と、該左右の側壁部を連設する背面部により四周の壁面を構成される平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられ、
第３のレール材が、対で、左右の側壁部にそれぞれ、該第２のレール材より背面部側に２０〜１００ｍｍの間隔をあけて備えられ、
第４のレール材が、対で、左右の側壁部にそれぞれ、該第３のレール材より正面部側に３５０〜４５０ｍｍの間隔をあけて備えられており、
それぞれ対の第２のレール材と第４のレール材の同じ高さ位置に係止片が取り付けられ、それぞれ対の第２のレール材と第４のレール材とに渡すように取り付けられた第１の棚板と、
いずれか一方の側壁部側の第１のレール材と第３のレール材の同じ高さ位置に係止片が取り付けられ、該一方の側壁部側に、第１のレール材と第３のレール材とに渡すように取り付けられた第２の棚板が取り付けられたことを特徴とする収納空間構造により解決される。
【０００８】
第１のレール材、第２のレール材、第３のレール材及び第４のレール材が、対で、それぞれ左右の側壁部に設けられ、それぞれ対の第１のレール材と第３のレール材に渡すように第１の棚板、及びいずれか一方の側壁部側の第２のレール材と第４のレール材に渡すように第２の棚板、又はそれぞれ対の第２のレール材と第４のレール材に渡すように第１の棚板、及びいずれか一方の側壁部側の第１のレール材と第３のレール材に渡すように第２の棚板が備えられているので、収納空間内の正面部側と背面部側で異なる形状の棚板を異なる高さ位置に設けることができ、収納空間内を使用者の自由に区分けすることができ、効率的に収納空間を使用することができる。特に第２の棚板の幅寸法を適宜選択することにより、収納空間内の空きスペースを自由に設けることができる。
【０００９】
さらに、棚板の奥行き長さが、第１のレール材と第３のレール材、又は第２のレール材と第４のレール材の間隔にあわせて設定されているため、棚板の奥行き寸法は２５０〜４３０ｍｍとなるため、棚板の取り付けや取り外し時には、腕の肘から先端側を棚板の裏側に当てて持ち上げることで、バランスよく棚板の取り付け、取り外し動作を行うことができ、棚板の取り付け作業が苦手な使用者であっても、容易に収納空間内の棚板の取替えを行うことができる。
【００１０】
前記収納空間において、前記第１の棚板と第２の棚板が同じ高さ位置に取り付けられ、第１の棚板と第２の棚板とにより平面視Ｌ型の棚板が形成されているとよい。
【００１１】
第１の棚板と第２の棚板が同じ高さ位置に取り付けられているので、第１の棚板と第２の棚板とにより平面視Ｌ型の棚板が形成され、収納物の形態に応じて、よりバリエーションに富んだ収納空間を実現することができる。とくに、収納空間の下から上まで同じ向きに平面視Ｌ型の棚板が形成されている場合には、人が略Ｌ字型の棚板の空隙部分に半身を入れて動作をすることで、収納空間の奥にまで容易にアクセスすることができる。
【００１２】
また、前記収納空間において、第２の棚板が取り付けられた側壁部側に折り畳まれる折り畳み式扉が、正面部に備えられているとよい。
【００１３】
第２の棚板が取り付けられた側壁部側に、折り畳まれる折り畳み式の扉が備えられているので、折り畳み式扉が開けられたとき、折り畳まれた折り畳み式扉の裏側というデッドスペースとなりがちな収納空間内の空間を棚板として有効に利用することができる。また、略Ｌ字型の棚板の空隙部分に半身を入れて動作するときにも、折り畳まれた折り畳み式扉が邪魔にならず、使用者は、容易の動作をすることができる。
【発明の効果】
【００１４】
本発明は以上のとおりであるから、収納空間の効率的な利用を実現するための収納空間構造を提供することができる。
【図面の簡単な説明】
【００１５】
【図１】本発明の実施形態である収納空間構造であって、図（イ）は断面平面図、図（ロ）は、図（イ）のＡ−Ａ線断面図、図（ハ）は、レール材を示す斜視図である。
【図２】図（イ）は、第１の棚板と第２の棚板を取り付けた状態を示す断面平面図、図（ロ）は、同斜視図である。
【図３】図（イ）は、第１の棚板の取付構造を示すものであって、構成部品を分解して示す斜視図、図（ロ）は、第２の棚板の取付構造を示すものであって、構成部品を分解して示す斜視図である。
【図４】図４は、収納空間の利用状況を示す断面平面図である。
【図５】図（イ）、（ロ）は、他の実施例を示す斜視図である。
【図６】図６は、他の実施例を示す斜視図である。
【図７】さらに、他の実施例を示す斜視図断面平面図であって、図（イ）は、折り畳み式扉が開いている状態を示す断面平面図、図（ロ）は、折り畳み式扉が閉じている状態を示す断面平面図である。
【発明を実施するための形態】
【００１６】
次に、本発明の実施形態を図面に基づいて説明する。
【００１７】
図１に示す本発明の実施形態である収納空間構造１において、２は全面が開口している正面部、３，４はそれぞれ左右の側壁部、５は背面部であり、背面部５により左右の側壁部は連設され、正面部２、側壁部３，４、背面部５により、この収納空間構造１は、平面視コの字型の収納空間６を形成している。
【００１８】
側壁部３，４及び背面部５は、たとえば、木製の下地桟にプラスターボードをビスで固定し、表面の仕上げにクロスを貼り付けて構成されている。収納空間６の寸法は、ここでは、幅寸法、奥行寸法ともに、壁芯で９１０ｍｍとなっており、下地桟、プラスターボードの厚みを除いた内寸法は８２１ｍｍとなっている。
【００１９】
７，８，９，１０はそれぞれ、左右の側壁部３，４にそれぞれ対で、壁面に対して垂直に取り付けられるレール材であって、図１（ハ）に示すように、長尺方向にそって複数の孔１１‥が設けられ、任意の孔１１‥に後述する係止片を取り付けることで、壁面の任意の高さ位置に係止片を取り付けることができるようになされている。
【００２０】
７，７は、第１のレール材であり、対で、左右の側壁部３，４にそれぞれ、側壁部３，４の背面部５と接する端部より５０〜１００ｍｍの位置に、壁面に垂直に備えられている。
【００２１】
８，８は、第２のレール材であり、対で、左右の側壁部３，４にそれぞれ、第１のレール材７，７より正面部２側に３５０〜４５０ｍｍの間隔をあけて備えられている。
【００２２】
９，９は、第３のレール材であり、対で、左右の側壁部３，４にそれぞれ、第２のレール材８，８より背面部５側に２０〜１００ｍｍの間隔をあけて備えられている。
【００２３】
１０，１０は、第４のレール材であり、対で、左右の側壁部３，４にそれぞれ、第３のレール材９，９より正面部２側に３５０〜４５０ｍｍの間隔をあけて備えられている。
【００２４】
図２に示すように、左右の側壁部３，４にそれぞれ対で取り付けられた第１のレール材７，７及び第３のレール材９，９間に、棚板取付用係止片２０‥を介して、第１の棚板１７‥がそれぞれ高さ方向に位置を異ならせて複数箇所取り付けられ、また、左の側壁部３に、取り付けられた第２のレール材８及び第４のレール材１０間に、棚板取付用Ｌ型係止片２９，２９を介して、第２の棚板２６がそれぞれ高さ方向に位置を異ならせて複数箇所取り付けられている。
【００２５】
図３（イ）に示すように、第１の棚板１７は、矩形の平板材からなり、幅寸法は、収納空間６の左右の側壁部３，４間を渡す長さとなっており、奥行き寸法は、第１のレール材７，７と第３のレール材９，９、又は／及び第２のレール材８，８と第４のレール材１０，１０間を渡して取り付けることができる寸法となっている。
【００２６】
第１の棚板１７の裏面１８の左右両端側には、棚板取付用係止片２０に係止するための止付部１９が、左右２箇所ずつ設けられている。なお、左右それぞれの止付部１９間の寸法は、第１のレール材７，７と第３のレール材９，９、及び第２のレール材８，８と第４のレール材１０，１０との距離にあわせられている。
【００２７】
棚板取付用係止片２０は、円柱型の係止部本体２１と、係止部本体２１の端部から突設し、レール材７，８，９，１０の孔１１‥に差込み、棚板取付用係止片２０を固定する鉤型の係止部２２とからなる。
【００２８】
図３（ロ）に示すように、第２の棚板２６は、矩形の平板材からなり、奥行き寸法は、収納空間６の第２のレール材８と第４のレール材１０間を渡す長さとなっており、幅寸法は、左右の側壁部３，４間に渡して取り付けられる第１の棚板１７の幅寸法の略半分程度の長さとなっている。そして、第２のレール材８及び第４のレール材１０に取り付けられた棚板取付用Ｌ型係止片２９，２９を介して、第２のレール材８と第４のレール材１０間を渡すように取り付けられている。
【００２９】
第２の棚板２６の裏面２７の左右両端部側には、棚板取付用Ｌ型係止片２９に係止するための止付部２８としての孔が、左右２箇所ずつ設けられている。なお、左右それぞれの止付部２８間の寸法は、第２のレール材８と第４のレール材１０との距離にあわせられている。
【００３０】
棚板取付用Ｌ型係止片２９には、Ｌ型に屈曲しており、Ｌ型の一方の片には、レール材の孔１１に差し込み、棚板取付用Ｌ型係止片２９を固定する鉤型の係止部３０，３０が備えられ、もう一方の片には、第２の棚板２６の止付部２８に係止する円筒型の突起部３１，３１が２つ備えられている。
【００３１】
この収納空間構造１では、奥行き寸法が、第１のレール材７，７と第３のレール材９，９間を渡して取り付けることができる長さで、幅寸法が、左右の側壁部３，４間を渡すように取り付けられる長さとなっている第１の棚板１７‥が、第１のレール材７，７と第３のレール材９，９間を渡して取り付けられており、奥行き寸法が、第２のレール材８と第４のレール材１０間を渡す長さとなっており、幅寸法は、左右の側壁部３，４間に渡して取り付けられる第１の棚板１７の幅寸法の略半分程度の長さとなっている第２の棚板２６‥が、第２のレール材８と第４のレール材１０間を渡すように取り付けられているので、図２（ロ）に示すように、第１の棚板１７と第２の棚板２６がレール材にそれぞれ同じ高さ位置に取り付けられた場合、第１の棚板１７と第２の棚板２６とにより平面が略Ｌ字型棚板を形成することができる。
【００３２】
この収納空間６内の略Ｌ字型の棚板では、図４に示すように、人が略Ｌ字型の棚板の空隙部分３２に半身を入れて動作をすることで、収納空間６の奥にまで容易にアクセスすることができる。なお、収納物は、第１の棚板１７と第２の棚板２６それぞれに収納するだけでなく、第１の棚板１７と第２の棚板２６とに渡すようにして収納してもよいのはいうまでもない。また、収納される物品に制限はない。
【００３３】
上記の実施例では、第１の棚板１７と第２の棚板２６がそれぞれ同一高さ位置に取り付けられている場合について示したが、それぞれの棚板が取り付けされる位置に制限はなく、収納空間６の活用方法によって自由に選択することができる。例えば、図５（イ）に示すように、最上段には第１の棚板１７、上から２段目には第２の棚板２６、上から３段目には第１の棚板１７、上から４段目と最下段には第２の棚板２６が取り付けられていてもよい。
【００３４】
また、第２の棚板の取り付けられる側壁部は左右どちらの側壁部であってもよく、例えば、図５（ロ）に示すように、最上段には第１の棚板１７と第２の棚板２６、上から２段目には第１の棚板１７、上から３段目と４段目には第２の棚板２６を左側壁部に、最下段には、第２の棚板２６を右側壁部に取り付けられていてもよい。
【００３５】
さらに、上記の実施例では、第１の棚板１７が、第１のレール材７，７と第３のレール材９，９間を渡して取り付けられ、第２の棚板２６を第２のレール材８と第４のレール材１０間を渡すように取り付けた場合について示したが、第１の棚板１７が、第２のレール材８，８と第４のレール材１０，１０間を渡して取り付けられ、第２の棚板２６を第１のレール材７と第３のレール材９間を渡すように取り付けられていてもよく、図６に示すように、最上段から最下段まで通して、第１の棚板１７‥が、第２のレール材８，８と第４のレール材１０，１０間を渡して取り付けられ、第２の棚板２６‥が、第１のレール材７と第３のレール材９間を渡すように取り付けられていてもよい。この場合、第１の棚板１７と第２の棚板２６とで形成される略Ｌ字型の棚板の空隙部分には、ゴルフバックなどの長物であって、普段あまり出し入れをしない収納物を収納することができる。
【００３６】
図７に示す本発明の実施形態である収納空間構造４１において、全面が開口している正面部２に、側壁部３側の第２のレール材８と第４のレール材１０とに渡すように第２の棚板２６が取り付けられている側壁部３側に、折り畳まれる折り畳み式扉４２が、正面部に備えられている。ここでは、折り畳み式扉４２は、２枚の戸板４３，４３からなり、２枚の戸板４３，４３は上下方向に複数の配置されるヒンジ４４・・により折り畳み可能に連結されている。また、側壁部３と折り畳み式扉４２も、上下方向に複数の配置されるヒンジ４５・・より折り畳み可能に連結されている。
【００３７】
この収納空間構造４１では、第２の棚板２６が取り付けられた側壁部３側に、折り畳まれる折り畳み式の扉が備えられているので、折り畳み式扉４２が開けられたとき、折り畳まれた折り畳み式扉４２の裏側というデッドスペースとなりがちな収納空間内の空間を第２の棚板２６の設置箇所として有効に利用することができる。また、略Ｌ字型の棚板の空隙部分３２に半身を入れて動作するときにも、折り畳まれた折り畳み式扉４２が邪魔にならず、使用者は、容易の動作をすることができる。
【００３８】
ここでは、第２のレール材８と第４のレール材１０とに渡すように第２の棚板２６が左側の側壁部３に取り付けられ、折り畳み式扉４２が左側の側壁部３側に折り畳まれる場合について示したが、第２の棚板２６が右側の側壁部４に取り付けられ、折り畳み式扉４２が右側の側壁部４側に折り畳まれるようになされていてもよいのはいうまでもない。
【００３９】
以上に、本発明の実施形態を示したが、本発明はこれに限られるものではなく、発明思想を逸脱しない範囲で各種の変更が可能である。例えば、上記の実施形態では、左右の側壁部にレール材が突設して備えられている場合について示したが、レール材は側壁部に埋め込まれて備えられていてもよいのはいうまでもなく、レール材の形状に制限はなく、状況にあわせて任意に選択されてよいのはいうまでもない。
【００４０】
また、上記実施形態では、レール材に係止片が取り付けられ、係止片を介して、棚板が取り付けられている場合について示したが、係止片は必ずしも独立した部材である必要はなく、棚板の一部としてその機能を発揮するものであってもよいのはいうまでもない。さらに、係止片の形状にも制限はなく、機能やデザインなどを考慮して任意に選択されればよい。
【００４１】
また、上記の実施形態では、いわゆる日本の住宅の一般的な規格寸法の１モジュール角である、およそ壁芯で９００〜１０００ｍｍ角の収納空間に適用した場合について示したが、本発明は、この寸法に制限されることなく、異なる形状の収納空間に適用することができるのはいうまでもない。
【００４２】
また、第１のレール材７と第３のレール材９間の間隔と、第２のレール材８と第４のレール材１０間の間隔とは、同じであってもよいし、異なってもよく、同じであれば、同じ形状の棚板が、第１のレール材７と第３のレール材９間及び第２のレール材８と第４のレール材１０間を渡すように用いることができ、異なっていれば、それぞれ異なる形状の棚板が用いられればよい。
【符号の説明】
【００４３】
１・・・収納空間構造
２・・・正面部
３・・・側壁部（左）
４・・・側壁部（右）
５・・・背面部
６・・・収納空間
７・・・第１のレール材
８・・・第２のレール材
９・・・第３のレール材
１０・・・第４のレール材
１１・・・孔
１７・・・第１の棚板
２０・・・棚板取付用係止片
２６・・・第２の棚板
２９・・・棚板取付用Ｌ型係止片
【図１】
0005801071.tif 000002
【図２】
0005801071.tif 000003
【図３】
0005801071.tif 000004
【図４】
0005801071.tif 000005
【図５】
0005801071.tif 000006
【図６】
0005801071.tif 000007
【図７】
0005801071.tif 000008